(57)【要約】【課題】  トランジスタのゲート電圧が動作しきい値に近くなるとインピーダンスが非常に高くなるので、ゲート電圧が動作しきい値のレベルに設定されるまでは動作上無視できない程の時間を要し、制御も複雑化してしまう。【解決手段】  時間階調方式の表示装置１０において、駆動トランジスタ１８は、ＯＬＥＤ１６を駆動する。時間制御トランジスタ２２は、第１の発光期間の制御においては輝度信号に応じて発光開始タイミングを制御し、第２の発光期間の制御においては輝度信号に応じて発光停止タイミングを制御する。時間制御トランジスタ２２は、時間制御トランジスタ２２の動作しきい値のばらつきに基づく発光開始タイミングのズレを、時間制御トランジスタ２２の動作しきい値のばらつきに基づく発光停止タイミングのズレで相殺する。【選択図】  図１
2005309396.tif 000002
【特許請求の範囲】
【請求項１】
時間階調方式の表示装置において、
電流駆動型の光学素子と、
前記光学素子を駆動する駆動回路と、
入力される輝度信号に応じて前記駆動回路による駆動タイミングを制御する時間制御回路と、を備え、
前記時間制御回路は、一つの輝度信号に対する複数回の発光期間のうちいずれかの発光期間である第１の発光期間の制御においては前記輝度信号に応じて発光開始タイミングを制御し、前記第１の発光期間と異なるいずれかの発光期間である第２の発光期間の制御においては前記輝度信号に応じて発光停止タイミングを制御することを特徴とする表示装置。
【請求項２】
前記時間制御回路は、前記第１の発光期間の制御における前記輝度信号に応じた発光開始タイミングに生じる、前記時間制御回路の動作しきい値のばらつきに基づくズレを、前記第２の発光期間の制御における前記輝度信号に応じた発光停止タイミングに生じる、前記時間制御回路の動作しきい値のばらつきに基づくズレで相殺することを特徴とする請求項１に記載の表示装置。
【請求項３】
前記第１の発光期間の制御においては前記時間制御回路がオンしたときに前記駆動回路をオンし、前記第２の発光期間の制御においては前記時間制御回路がオンしたときに前記駆動回路をオフする駆動制御回路をさらに備えることを特徴とする請求項１または２に記載の表示装置。
【請求項４】
前記時間制御回路は、前記第１の発光期間の制御においては前記発光開始タイミングを示す輝度信号の電圧が漸増または漸減されることにより前記駆動回路による発光開始タイミングを制御し、前記第２の発光期間の制御においては前記発光停止タイミングを示す輝度信号の電圧が漸増または漸減されることにより前記駆動回路による発光停止タイミングを制御することを特徴とする請求項１から３のいずれかに記載の表示装置。
【請求項５】
前記時間制御回路は、トランジスタにより構成されるとともに、前記第１の発光期間の制御においてはソース電圧またはドレイン電圧が漸増または漸減されることにより前記駆動回路による発光開始タイミングを制御し、前記第２の発光期間の制御においてはソース電圧またはドレイン電圧が漸増または漸減されることにより前記駆動回路による発光停止タイミングを制御することを特徴とする請求項１から３のいずれかに記載の表示装置。
【請求項６】
入力される輝度信号に応じて光学素子の駆動タイミングを制御する時間制御トランジスタと、
前記時間制御トランジスタのソース電圧またはドレイン電圧を漸増または漸減させる回路と、を備え、
前記時間制御トランジスタは、一つの輝度信号に対する複数回の発光期間のうちいずれかの発光期間である第１の発光期間の制御においてはそのソース電圧またはドレイン電圧が漸増または漸減されることにより前記光学素子の発光開始タイミングを制御し、前記第１の発光期間と異なるいずれかの発光期間である第２の発光期間の制御においてはソース電圧またはドレイン電圧が漸増または漸減されることにより前記光学素子の発光停止タイミングを制御することを特徴とする表示装置。
【請求項７】
一つの輝度信号に対する複数回の発光期間のうちいずれかの発光期間である第１の発光期間の制御において光学素子の発光開始タイミングを示す輝度信号を入力するステップと、
前記発光開始タイミングを示す輝度信号の電圧を漸増または漸減するステップと、
駆動回路による駆動タイミングを制御する時間制御回路が前記輝度信号の電圧の漸増または漸減によってオンしたときに、前記駆動回路をオンして前記光学素子の発光を開始させるステップと、
所定のタイミングで前記光学素子の発光を停止させるステップと、
前記複数回の発光期間のうち前記第１の発光期間と異なるいずれかの発光期間である第２の発光期間の制御において前記光学素子の発光停止タイミングを示す輝度信号を入力するステップと、
所定のタイミングで前記光学素子の発光を開始させるステップと、
前記発光停止タイミングを示す輝度信号の電圧を漸増または漸減するステップと、
前記時間制御回路が前記輝度信号の電圧の漸増または漸減によってオンしたときに、前記駆動回路をオフして前記光学素子の発光を停止させるステップと、
を含むことを特徴とする表示装置制御方法。
【発明の詳細な説明】
【技術分野】
【０００１】
本発明は、表示装置に関し、特に有機ＥＬを用いた表示装置の技術に関する。
【背景技術】
【０００２】
有機エレクトロルミネッセンス（以下、「有機ＥＬ」という。）表示装置が、新たな平面型表示装置として注目されている。有機ＥＬ表示装置は、現在広く普及している液晶表示装置を席巻する日も近いと目されており、実用化、量産化に向けて熾烈な開発競争の最中にある。
【０００３】
有機ＥＬ表示装置の駆動方式としては、走査電極とデータ電極の交差する位置で両電極に挟まれた画素を時分割で発光させるパッシブマトリクス駆動方式と、各画素の発光を１フレーム期間維持するアクティブマトリクス駆動方式がある。アクティブマトリクス駆動方式の場合、各画素に含まれるトランジスタの特性ばらつきを原因とする輝度むらが発生するおそれがある。こうした輝度むらを解消するために、トランジスタの特性に応じて輝度信号を補正する方法がある（例えば、特許文献１参照）。
【特許文献１】特開２００３−２８８０５５号公報（図５）
【発明の開示】
【発明が解決しようとする課題】
【０００４】
特許文献１に記載された装置の場合、トランジスタのゲート電圧をそのトランジスタがぎりぎりでオンする動作しきい値のレベルに設定することで補正を実現している。しかしながら、トランジスタのゲート電圧が動作しきい値に近くなるとインピーダンスが非常に高くなるので、ゲート電圧が動作しきい値のレベルに設定されるまでは動作上無視できない程の時間を要し、制御も複雑化してしまう。
【０００５】
本発明は上記背景の下でなされたものであり、本発明の目的は、効果的に輝度むらを解消する表示装置を提供することにある。
【課題を解決するための手段】
【０００６】
上記課題を解決するために、本発明のある態様の表示装置は、時間階調方式の表示装置において、電流駆動型の光学素子と、光学素子を駆動する駆動回路と、入力される輝度信号に応じて駆動回路による駆動タイミングを制御する時間制御回路と、を備える。時間制御回路は、一つの輝度信号に対する複数回の発光期間のうちいずれかの発光期間である第１の発光期間の制御においては輝度信号に応じて発光開始タイミングを制御し、第１の発光期間と異なるいずれかの発光期間である第２の発光期間の制御においては輝度信号に応じて発光停止タイミングを制御する。
【０００７】
ここで、光学素子として、有機発光ダイオード（Organic Light Emitting Diode）が想定できるがこれに限る趣旨ではない。駆動回路および時間制御回路として、ＭＯＳ（Metal Oxide Semiconductor ）トランジスタや薄膜トランジスタ（ＴＦＴ：Thin Film Transistor）が想定できるが、これに限る趣旨ではない。複数回の発光期間は、一つのフレームが分割されて形成される複数回のサブ発光期間であってもよいし、複数のフレームのそれぞれに包含される個別の発光期間であってもよい。
【０００８】
この態様によると、複数回の発光期間のそれぞれにおいて、輝度信号に基づき発光開始と発光停止を制御する。したがって、内部回路の特性ばらつきが発光期間の制御に影響する場合であっても、いずれかのズレが他方のズレで相殺され、発光期間の和を一定に保つことができ、画質を良好に維持することができる。
【０００９】
時間制御回路は、第１の発光期間の制御における輝度信号に応じた発光開始タイミングに生じる、時間制御回路の動作しきい値のばらつきに基づくズレを、第２の発光期間の制御における輝度信号に応じた発光停止タイミングに生じる、時間制御回路の動作しきい値のばらつきに基づくズレで相殺してもよい。これにより、時間制御回路の特性ばらつきに関係なく発光期間を一定に保つことができ、その特性ばらつきに基づく輝度むらを回避することができる。
【００１０】
第１の発光期間の制御においては時間制御回路がオンしたときに駆動回路をオンし、第２の発光期間の制御においては時間制御回路がオンしたときに駆動回路をオフする駆動制御回路をさらに備えてもよい。駆動制御回路もまた、ＭＯＳトランジスタや薄膜トランジスタが想定できるが、これに限る趣旨ではない。時間制御回路は、第１の発光期間の制御においては発光開始タイミングを示す輝度信号の電圧が漸増または漸減されることにより駆動回路による発光開始タイミングを制御し、第２の発光期間の制御においては発光停止タイミングを示す輝度信号の電圧が漸増または漸減されることにより駆動回路による発光停止タイミングを制御してもよい。時間制御回路は、トランジスタにより構成されるとともに、第１の発光期間の制御においてはソース電圧またはドレイン電圧が漸増または漸減されることにより駆動回路による発光開始タイミングを制御し、第２の発光期間の制御においてはソース電圧またはドレイン電圧が漸増または漸減されることにより駆動回路による発光停止タイミングを制御してもよい。以上の構成により、時間制御回路のオンに基づいて駆動回路のオンとオフの双方を制御することができ、発光開始タイミングと発光停止タイミングの双方を制御できる。なお、時間制御回路と駆動制御回路がＭＯＳトランジスタで構成される場合、これらはつねにｎチャネルとｐチャネルが逆の関係であってもよい。すなわち、時間制御回路がｎチャネルＭＯＳトランジスタであれば駆動制御回路はｐチャネルＭＯＳトランジスタとなり、時間制御回路がｐチャネルＭＯＳトランジスタであれば駆動制御回路はｎチャネルＭＯＳトランジスタとなる。これにより、時間制御回路が動作したときに駆動制御回路を強く動作させることができる。
【００１１】
本発明の別の態様は、表示装置である。この装置は、入力される輝度信号に応じて光学素子の駆動タイミングを制御する時間制御トランジスタと、時間制御トランジスタのソース電圧またはドレイン電圧を漸増または漸減させる回路と、を備える。時間制御トランジスタは、一つの輝度信号に対する複数回の発光期間のうちいずれかの発光期間である第１の発光期間の制御においてはそのソース電圧またはドレイン電圧が漸増または漸減されることにより光学素子の発光開始タイミングを制御し、第１の発光期間と異なるいずれかの発光期間である第２の発光期間の制御においてはソース電圧またはドレイン電圧が漸増または漸減されることにより光学素子の発光停止タイミングを制御する。
【００１２】
この態様によると、複数回の発光期間のそれぞれにおいて、輝度信号に基づき発光開始と発光停止を制御する。したがって、内部回路の特性ばらつきが発光期間の制御に影響する場合であっても、いずれかのズレが他方のズレで相殺され、発光期間の和を一定に保つことができ、画質を良好に維持することができる。
【００１３】
本発明の別の態様は、表示装置制御方法である。この方法は、一つの輝度信号に対する複数回の発光期間のうちいずれかの発光期間である第１の発光期間の制御において光学素子の発光開始タイミングを示す輝度信号を入力するステップと、発光開始タイミングを示す輝度信号の電圧を漸増または漸減するステップと、駆動回路による駆動タイミングを制御する時間制御回路が輝度信号の電圧の漸増または漸減によってオンしたときに、駆動回路をオンして光学素子の発光を開始させるステップと、所定のタイミングで光学素子の発光を停止させるステップと、複数回の発光期間のうち第１の発光期間と異なるいずれかの発光期間である第２の発光期間の制御において光学素子の発光停止タイミングを示す輝度信号を入力するステップと、所定のタイミングで光学素子の発光を開始させるステップと、発光停止タイミングを示す輝度信号の電圧を漸増または漸減するステップと、時間制御回路が輝度信号の電圧の漸増または漸減によってオンしたときに、駆動回路をオフして光学素子の発光を停止させるステップと、を含む。
【００１４】
この態様によると、複数回の発光期間のそれぞれにおいて、輝度信号に基づき発光開始と発光停止を制御する。したがって、内部回路の特性ばらつきが発光期間の制御に影響する場合であっても、いずれかのズレが他方のズレで相殺され、発光期間の和を一定に保つことができ、画質を良好に維持することができる。
【００１５】
なお、以上の構成要素の任意の組合せや、本発明の構成要素や表現を方法、装置、システムなどの間で相互に置換したものもまた、本発明の態様として有効である。
【発明の効果】
【００１６】
本発明によれば、表示装置において効果的に輝度むらを解消することができる。
【発明を実施するための最良の形態】
【００１７】
（実施例１）
図１は、実施例１における表示装置に含まれる画素の基本構成を示す。表示装置１０は、時間階調方式で表示制御するアクティブマトリクス型表示装置である。表示装置１０において、複数の画素が行列状に配置され、そのうちの一つが本図に示される画素１２である。画素１２は、有機発光ダイオード（以下、「有機発光ダイオード」を「ＯＬＥＤ」という。）１６、駆動トランジスタ１８、駆動制御トランジスタ２０、時間制御トランジスタ２２、セットトランジスタ２４、書込トランジスタ２６、および保持容量２８を含む。
【００１８】
駆動トランジスタ１８、駆動制御トランジスタ２０、セットトランジスタ２４、および書込トランジスタ２６は、ｐチャネルＭＯＳトランジスタである。時間制御トランジスタ２２は、ｎチャネルＭＯＳトランジスタである。ＯＬＥＤ１６は、電流駆動型の光学素子であり、駆動電流が流れたときにその電流値に応じた強度で発光する。ただし、本実施例では、駆動電流の値は一定であり、画素ごとの発光期間の長さの違いで階調を表現する。
【００１９】
書込トランジスタ２６は、ゲート電極が選択信号線ＳＬに接続され、ソース電極がデータ信号線ＤＬに接続され、ドレイン電極が時間制御トランジスタ２２のゲート電極に接続される。選択信号線ＳＬの選択信号は、電圧が−５Ｖ〜６Ｖで変位する。データ信号線ＤＬの輝度信号は、電圧が０．５Ｖ〜５Ｖで変位する。書込トランジスタ２６のドレイン電極と時間制御トランジスタ２２のゲート電極の間を第１ノードＶ０とする。第１ノードＶ０とランプ信号線ＲＰの間には保持容量２８が設けられる。保持容量２８には、ランプ信号線ＲＰから−３Ｖ〜５Ｖのランプ信号が入力される。
【００２０】
時間制御トランジスタ２２は、ソース電極が時間制御電位ＶＧに接続され、ドレイン電極がセットトランジスタ２４のドレイン電極に接続される。時間制御電位ＶＧは−３Ｖである。セットトランジスタ２４は、ゲート電極がセット信号線ＳＴに接続され、ソース電極が電源電位ＰＶＤＤに接続される。セット信号線ＳＴのセット信号は、電圧が０Ｖ〜６Ｖで変位する。電源電位ＰＶＤＤは５Ｖの電位をもつ。時間制御トランジスタ２２とセットトランジスタ２４の共通ドレイン電極は駆動制御トランジスタ２０のゲート電極に接続される。
【００２１】
駆動制御トランジスタ２０は、ドレイン電極（ソース電極）が駆動制御信号線ＶＤに接続され、ソース電極（ドレイン電極）が駆動トランジスタ１８のゲート電極に接続される。駆動制御信号線ＶＤの駆動制御信号は、電圧が０Ｖ〜７Ｖで変位する。駆動トランジスタ１８は、ソース電極が電源電位ＰＶＤＤに接続され、ドレイン電極がＯＬＥＤ１６の陽極に接続される。ＯＬＥＤ１６の陰極は低電位ＶＳＳに接続される。
【００２２】
図２は、実施例１の表示装置１０に入力される各制御信号の状態変化の関係を示すタイムチャートである。まず、第１の発光準備として、選択信号線ＳＬの選択信号がローで書込トランジスタ２６がオンされた状態において、発光タイミングを示す輝度信号が第１ノードＶ０に入力され、その電位が時間制御トランジスタ２２のゲート電極に設定される。このとき、時間制御トランジスタ２２はオンされるが、セット信号線ＳＴのセット信号がハイになっているので、セットトランジスタ２４はオフされている。時間制御トランジスタ２２のドレイン電極と駆動制御トランジスタ２０のゲート電極の間にある第２ノードＶ１の電位はローになるので駆動制御トランジスタ２０はオンされる。このとき、駆動制御信号線ＶＤの駆動制御信号はハイになっているので、駆動制御トランジスタ２０のソース電極と駆動トランジスタ１８のゲート電極の間にある第３ノードＶ２はハイになり、駆動トランジスタ１８はオフされている。
【００２３】
選択信号線ＳＬがハイになると書込トランジスタ２６はオフされるが、第１ノードＶ０の電位は保持容量２８により保持される。ランプ信号線ＲＰのランプ信号がハイからローに下がり、第１ノードＶ０の電位が下がるので、時間制御トランジスタ２２がオフされる。同様のタイミングでセット信号がローになり、セットトランジスタ２４がオンされ、第２ノードＶ１が電源電位ＰＶＤＤに接続されてハイになる。これにより、駆動制御トランジスタ２０がオフされる。その後、駆動制御信号がローになる。
【００２４】
このように、第１の発光準備においては、第３ノードＶ２がハイで、駆動制御トランジスタ２０がオフされた状態で駆動制御信号がローにされる。したがって、第１ノードＶ０の電位上昇により時間制御トランジスタ２２と駆動制御トランジスタ２０がオンすれば駆動トランジスタ１８もオンしてＯＬＥＤ１６の発光が開始されるような状態になる。これにより、第１ノードＶ０に入力された輝度信号に応じてＯＬＥＤ１６の発光開始が制御される。
【００２５】
次に、セット信号がハイになり、セットトランジスタ２４がオフされ時間制御トランジスタ２２と電源電位ＰＶＤＤが遮断されるとともに、ランプ信号の電位が徐々に上がると、第１ノードＶ０の電位も徐々に上昇する。第１ノードＶ０の電位が、時間制御電位ＶＧに時間制御トランジスタ２２の動作しきい値電圧Ｖｔを加算した値（ＶＧ＋Ｖｔ）になったとき、時間制御トランジスタ２２がオンする。時間制御トランジスタ２２がオンしたときのランプ信号の電位をＶＲＰ１とする。時間制御トランジスタ２２がオンすると第２ノードＶ１の電位が下がり駆動制御トランジスタ２０がオンする。駆動制御トランジスタ２０がオンすると第３ノードＶ２の電位も下がり駆動トランジスタ１８がオンし、ＯＬＥＤ１６に駆動電流が流れて発光が開始される。その後、所定タイミングで駆動制御信号がハイになると、第３ノードＶ２がハイになるので駆動トランジスタ１８がオフされ、ＯＬＥＤ１６への駆動電流が遮断されてＯＬＥＤ１６の発光が停止する。
【００２６】
ここで、時間制御トランジスタ２２の動作しきい値Ｖｔは、トランジスタの特性ばらつきによって、理想的な値として想定される標準値とは異なる場合がある。本実施例において例示する動作しきい値Ｖｔは標準値より低く、本来は図２に示すように第１ノードＶ０の電位値がＶＲＰ２を超えたときに時間制御トランジスタ２２がオンするべきところ、ＶＲＰ２より低いＶＲＰ１を超えたときに時間制御トランジスタ２２がオンしてしまう。すなわち、ＯＬＥＤ１６の発光開始タイミングがＴｄ１だけ早くなり、第１の発光期間がＴｄ１だけ長くなる。
【００２７】
なお、時間制御トランジスタ２２の動作しきい値Ｖｔが標準値より高い場合は、ＯＬＥＤ１６の発光開始タイミングは遅くなり、その分、第１の発光期間が短くなる。また、ランプ信号の線形領域において、「黒」を示す輝度信号の場合でもＯＬＥＤ１６を発光させることができるよう発光停止時のランプ信号の値はマージンＶｓが確保された値とされる。
【００２８】
２回目の発光準備として再び選択信号がローになり、書込トランジスタ２６がオンされると、データ信号線ＤＬから第１ノードＶ０へ発光停止タイミングを示す輝度信号が入力される。発光停止タイミングを示す輝度信号は、第１の発光準備において第１ノードＶ０へ入力された発光タイミングを示す輝度信号を反転した信号である。選択信号がハイに戻っても、輝度信号の電圧は保持容量２８に保持される。駆動制御信号がローになると、第３ノードＶ２がローになる。駆動トランジスタ１８がオンすると、ＯＬＥＤ１６に駆動電流が流れてＯＬＥＤ１６の２回目の発光が開始される。その直後にランプ信号がローになり、時間制御トランジスタ２２がオフされる。セット信号がローのパルスとなり、セットトランジスタ２４がオンすると、第２ノードＶ１が電源電位ＰＶＤＤに接続されてハイになり、駆動制御トランジスタ２０がオフするので、第３ノードＶ２の電位は保持され、ＯＬＥＤ１６の発光は維持される。その間に、駆動制御信号はハイになる。
【００２９】
このように、第２の発光準備においては、第３ノードＶ２がローで、駆動制御トランジスタ２０がオフされた状態で駆動制御信号がハイにされる。したがって、第１ノードＶ０の電位上昇により時間制御トランジスタ２２と駆動制御トランジスタ２０がオンすれば駆動トランジスタ１８もオンしてＯＬＥＤ１６の発光が停止されるような状態になる。これにより、第１ノードＶ０に入力された輝度信号に応じてＯＬＥＤ１６の発光停止が制御される。
【００３０】
その後ランプ信号が再度上昇し始めると、第１ノードＶ０の電位も上昇し始める。第１ノードＶ０の電位が（ＶＧ＋Ｖｔ）になったとき時間制御トランジスタ２２がオンし、第２ノードＶ１の電位が下がり、駆動制御トランジスタ２０がオンする。駆動制御トランジスタ２０がオンすると、第３ノードＶ２の電位が上がり、駆動トランジスタ１８はオフし、ＯＬＥＤ１６の発光は停止する。
【００３１】
なお、２回目の発光においてランプ信号が上昇する前に発光が開始されているが、その上昇前の期間Ｔｓは１０μｓ未満で一瞬にすぎないので、視覚的には判別できず無視できる程度である。ただし、駆動トランジスタ１８と直列に別のトランジスタを追加し、ランプ信号が上昇し始めるまでＯＬＥＤ１６への駆動電流を遮断して発光を止めてもよい。
【００３２】
本実施例における画素１２においては、時間制御トランジスタ２２以外の各トランジスタのゲート電極には、ソース電極に対して十分高い、または十分低い電位の信号が入力されるので、各トランジスタはスイッチのように動作し、それぞれの動作しきい値のばらつきは問題にならない。
【００３３】
一方、時間制御トランジスタ２２は、その動作しきい値Ｖｔのばらつきに応じて発光開始タイミングや発光停止タイミングにズレが生じる場合がある。本実施例においては、ある輝度信号に応じた発光時間が２回に分割され、１回目の発光では輝度信号に応じて発光開始タイミングを制御し、２回目の発光では輝度信号に応じて発光停止タイミングを制御する。ここで、時間制御トランジスタ２２の動作しきい値Ｖｔが標準値より低い場合、１回目の発光では動作しきい値Ｖｔが低い分だけ時間制御トランジスタ２２のオンがＴｄ１だけ早くなり、早く発光が開始されて発光時間がＴｄ１だけ長くなる。一方、２回目の発光では動作しきい値Ｖｔが低い分、Ｔｄ２だけ早く発光停止して発光時間が短くなる。Ｔｄ１とＴｄ２の時間長さは等しいので、動作しきい値Ｖｔによる発光タイミングのズレが動作しきい値Ｖｔによる発光停止タイミングのズレで相殺される。したがって、１回目の発光時間と２回目の発光時間の和は動作しきい値Ｖｔのばらつきに関係なく一定であり、動作しきい値が標準値である場合と等しくなる。
【００３４】
また、時間制御トランジスタ２２の動作しきい値Ｖｔが標準値より高い場合、１回目の発光では動作しきい値Ｖｔが高い分だけ時間制御トランジスタ２２のオンは遅くなり、発光開始が遅く発光時間が短くなる。一方、２回目の発光では動作しきい値Ｖｔが高い分だけ時間制御トランジスタ２２のオンが遅くなり、発光停止タイミングが遅れて発光時間が長くなる。この場合もまた、動作しきい値Ｖｔによる発光タイミングのズレが動作しきい値Ｖｔによる発光停止タイミングのズレで相殺され、１回目の発光時間と２回目の発光時間の和は、動作しきい値が標準値である場合と等しくなる。
【００３５】
このように、時間制御トランジスタ２２の動作しきい値Ｖｔのばらつきによっては、１回目と２回目の発光時間の和は変化しないので、トランジスタの特性ばらつきによる輝度むらが回避される。なお、１フレーム期間は人間の感覚としては一瞬であり、発光が２回に分離していても、視覚的には点滅しているようには見えない。したがって、１回目の発光時間と２回目の発光時間のバランスが偏ったとしても視覚的には連続した１回の発光に見える。そのため、１回目の発光と２回目の発光の和が等しくなる限り、発光時間のバランスは問わない。
【００３６】
（実施例２）
図３は、実施例２における表示装置に含まれる画素の基本構成を示す。本実施例においては、画素内の一部の回路構成が実施例１と異なる。以下、実施例１との相違点を中心に説明する。
【００３７】
画素１２は、ＯＬＥＤ１６、駆動トランジスタ１８、駆動制御トランジスタ２０、時間制御トランジスタ２２、書込トランジスタ２６、保持容量２８、およびセット容量３０を含む。セット容量３０以外の構成および配置は、実施例１におけるセットトランジスタ２４以外の構成および配置と同様である。セット容量３０は、実施例１のセットトランジスタ２４と同様の位置に配置されており、時間制御トランジスタ２２のドレイン電極とセット信号線ＳＴの間に設けられる。選択信号線ＳＬの選択信号は、電圧が−５Ｖ〜８．５Ｖで変位する。セット信号線ＳＴのセット信号は、電圧が−５Ｖ〜８．５Ｖで変位する。駆動制御信号線ＶＤの駆動制御信号は、電圧が０Ｖ〜８．５Ｖで変位する。
【００３８】
図４は、実施例２の表示装置１０に入力される各制御信号の状態変化の関係を示すタイムチャートである。本実施例においては、セット信号の変化が実施例１のセット信号と異なる点を除き、他の信号の基本的な変化および動作は実施例１と同様である。本実施例のセット信号は、実施例１のセット信号のようなパルスを含まない。具体的には、１回目の発光において、ランプ信号線ＲＰのランプ信号がローになるまでセット信号はローのままであり、ランプ信号がローになった直後で、駆動制御信号線ＶＤの駆動制御信号がローになる直前にセット信号がハイになる。また、このセット信号は、駆動制御信号がハイになった直後に再びローになる。２回目の発光においては、発光開始後、ランプ信号がローになった直後にセット信号がハイになる。
【００３９】
１回目の発光準備においては、発光開始タイミングを示す輝度信号が第１ノードＶ０に入力された後、ランプ信号線ＲＰのランプ信号がローになり、時間制御トランジスタ２２がオフされる。その直後にセット信号がハイになると、セット容量３０を介して第２ノードＶ１の電位が叩き上げられ、第２ノードＶ１の電位がハイになる。これにより、第３ノードＶ２がハイのまま駆動制御トランジスタ２０がオフされる。その状態で駆動制御信号がローになる。
【００４０】
ランプ信号の電位が徐々に上がり、第１ノードＶ０の電位が、時間制御電位ＶＧに時間制御トランジスタ２２の動作しきい値電圧Ｖｔを加算した値（ＶＧ＋Ｖｔ）になったとき、時間制御トランジスタ２２がオンする。時間制御トランジスタ２２がオンすると第２ノードＶ１の電位が下がり駆動制御トランジスタ２０がオンし、第３ノードＶ２も下がるので駆動トランジスタ１８がオンし、ＯＬＥＤ１６に駆動電流が流れて発光が開始される。その後、所定タイミングで駆動制御信号線ＶＤの駆動制御信号がハイになると、第３ノードＶ２がハイになるので駆動トランジスタ１８がオフされ、ＯＬＥＤ１６への駆動電流が遮断されてＯＬＥＤ１６の発光が停止する。
【００４１】
２回目の発光準備として、発光停止タイミングを示す輝度信号が第１ノードＶ０に入力され、駆動制御信号がローになり駆動トランジスタ１８がオンすると、ＯＬＥＤ１６に駆動電流が流れてＯＬＥＤ１６の２回目の発光が開始される。その直後にランプ信号がローになり、時間制御トランジスタ２２がオフされる。セット信号がハイになり、セット容量３０を介して第２ノードＶ１の電位が叩き上げられると、第３ノードＶ２がローのまま駆動制御トランジスタ２０がオフする。その間に、駆動制御信号がハイになる。
【００４２】
その後ランプ信号が再度上昇し始めると、第１ノードＶ０の電位も上昇し始める。第１ノードＶ０の電位がＶＧ＋Ｖｔになったとき時間制御トランジスタ２２がオンし、第２ノードＶ１の電位が下がり駆動制御トランジスタ２０がオンする。駆動制御トランジスタ２０がオンすると、第３ノードＶ２の電位が上がり駆動トランジスタ１８はオフし、ＯＬＥＤ１６の発光は停止する。
【００４３】
以上、本実施例の構成および動作によっても、実施例１と同様に１回目と２回目の発光時間の和が時間制御トランジスタ２２の特性ばらつきに関係なく一定なので、時間制御トランジスタ２２の動作しきい値による影響を相殺して輝度むらを解消することができる。また、本実施例は、実施例１と比べてトランジスタの数が少ない分、開口率を上げることができ、ＯＬＥＤ１６の長寿命化にも有利となる。
【００４４】
（実施例３）
図５は、実施例３における表示装置に含まれる画素の基本構成を示す。本実施例においては、画素内の一部の回路構成が実施例１、２と異なる。以下、実施例１、２との相違点を中心に説明する。
【００４５】
画素１２は、ＯＬＥＤ１６、駆動トランジスタ１８、駆動制御トランジスタ２０、時間制御トランジスタ２２、書込トランジスタ２６、および保持容量２８を含む。実施例１におけるセットトランジスタ２４およびセット信号線ＳＴ、実施例２におけるセット容量３０およびセット信号線ＳＴが設けられていない点を除き、他の構成および配置は実施例１、２と同様である。また、選択信号線ＳＬの選択信号は、電圧が−５Ｖ〜６Ｖで変位する。駆動制御信号線ＶＤの駆動制御信号は、電圧が０Ｖ〜７Ｖで変位する。ランプ信号線ＲＰのランプ信号は、電圧が−３Ｖ〜５Ｖ〜１０Ｖで変位する。時間制御電位ＶＧは−３Ｖ〜５Ｖで変位する。
【００４６】
図６は、実施例３の表示装置１０に入力される各制御信号の状態変化の関係を示すタイムチャートである。本実施例においては、ランプ信号が−３Ｖと５Ｖの間で電圧変化に線形領域を有するとともに、さらにハイレベルである１０Ｖに変位する。すなわち、１回目の発光制御において、発光開始タイミングを示す輝度信号が第１ノードＶ０に設定されて書込トランジスタ２６がオフされた後、ランプ信号がさらにハイレベルに上がり、保持容量２８を介して第１ノードＶ０の電位が叩き上げられ、時間制御トランジスタ２２が強くオンする。時間制御トランジスタ２２が強くオンすると、時間制御電位ＶＧがハイで第２ノードＶ１がハイになり、駆動制御トランジスタ２０がオフされる。１回目の発光制御において駆動制御トランジスタ２０がオフされた後の動作は実施例１、２と同様である。
【００４７】
２回目の発光制御においては、ＯＬＥＤ１６の２回目の発光が開始された後、ランプ信号がさらにハイレベルに上がり、保持容量２８を介して第１ノードＶ０の電位が叩き上げられ、時間制御トランジスタ２２が強くオンする。時間制御トランジスタ２２が強くオンすると、時間制御電位ＶＧがハイで第２ノードＶ１がハイになり、駆動制御トランジスタ２０がオフされる。２回目の発光制御において駆動制御トランジスタ２０がオフされた後の動作もまた実施例１、２と同様である。
【００４８】
以上、本実施例の構成および動作によっても、実施例１、２と同様に１回目と２回目の発光時間の和が時間制御トランジスタ２２の特性ばらつきに関係なく一定なので、時間制御トランジスタ２２の動作しきい値による影響を相殺して輝度むらを解消することができる。また、本実施例は、実施例１と比べてトランジスタの数が少ない分、開口率を上げることができ、ＯＬＥＤ１６の長寿命化にも有利となる。
【００４９】
（実施例４）
図７は、実施例４における表示装置に含まれる画素の基本構成を示す。本実施例においては、画素内の一部の回路構成が実施例１〜３と異なる。以下、実施例１〜３との相違点を中心に説明する。
【００５０】
画素１２は、ＯＬＥＤ１６、駆動トランジスタ１８、駆動制御トランジスタ２０、時間制御トランジスタ２２、書込トランジスタ２６、セット容量３０、および保持容量３２を含む。本実施例のセット容量３０は、実施例２におけるセット容量３０と同様の構成であり、同様の形で配置される。実施例１のセットトランジスタ２４は本実施例では設けられていない。実施例１の保持容量２８は本実施例に設けられておらず、代わりに第１ノードＶ０と電源電位ＰＶＤＤの間に保持容量３２が設けられている。選択信号とセット信号は、それぞれ実施例２と同様に、電圧が−５Ｖ〜８．５Ｖで変位する。駆動制御信号線ＶＤの駆動制御信号は、電圧が６Ｖ〜１２Ｖで変位する。時間制御トランジスタ２２のソース電極はランプ信号線ＲＰに接続され、ランプ信号の電圧は−３Ｖ〜５．５Ｖで変位する。電源電位ＰＶＤＤは１２Ｖである。実施例１〜３における時間制御電位ＶＧは本実施例では設けられていない。
【００５１】
図８は、実施例４の表示装置１０に入力される各制御信号の状態変化の関係を示すタイムチャートである。本実施例においては、ランプ信号の電圧がハイからローへ変位する線形領域を有する。すなわち、１回目の発光制御において、発光開始タイミングを示す輝度信号が第１ノードＶ０に設定されて書込トランジスタ２６がオフされた後、セット信号がハイになり、セット容量３０を介して第２ノードＶ１の電位が叩き上げられ、第３ノードＶ２がハイのまま駆動制御トランジスタ２０がオフする。その状態で駆動制御信号がローになる。
【００５２】
ランプ信号の電位が下がり始め、ランプ信号の電位が輝度信号の電位から時間制御トランジスタ２２の動作しきい値Ｖｔを減算した値になったとき時間制御トランジスタ２２がオンする。時間制御トランジスタ２２がオンすると第２ノードＶ１の電位が下がり駆動制御トランジスタ２０がオンする。駆動制御トランジスタ２０がオンすると、第３ノードＶ２の電位が下がり、駆動トランジスタ１８がオンするので、ＯＬＥＤ１６に駆動電流が流れて発光を開始する。その後、所定タイミングで駆動制御信号がハイになり第３ノードＶ２もハイになるので、駆動トランジスタ１８がオフし、駆動電流が遮断されてＯＬＥＤ１６の発光が停止される。ランプ信号はハイになり、セット信号はローになる。
【００５３】
２回目の発光制御においては、発光停止タイミングを示す輝度信号が第１ノードＶ０に設定されて書込トランジスタ２６がオフされた後、駆動制御信号がローになり、駆動トランジスタ１８がオンすると、ＯＬＥＤ１６に駆動電流が流れて発光が開始される。その後、セット信号がハイになり第２ノードＶ１の電位がハイになると、第３ノードＶ２の電位がローのまま駆動制御トランジスタ２０がオフされる。その状態で、駆動制御信号がハイになる。ランプ信号が徐々に下がり始め、ランプ信号の電位が輝度信号の電位から時間制御トランジスタ２２の動作しきい値Ｖｔを減算した値になったとき時間制御トランジスタ２２がオンし、第２ノードＶ１がローになり、駆動制御トランジスタ２０がオンする。駆動制御トランジスタ２０がオンすると、第３ノードＶ２がハイになり駆動トランジスタ１８がオフされ、駆動電流が遮断されてＯＬＥＤ１６の発光が停止される。
【００５４】
以上、本実施例の構成および動作によっても、実施例１〜３と同様に１回目と２回目の発光時間の和が時間制御トランジスタ２２の特性ばらつきに関係なく一定なので、時間制御トランジスタ２２の動作しきい値による影響を相殺して輝度むらを解消することができる。また、本実施例は、実施例１と比べてトランジスタの数が少なく、保持容量３２も実施例１〜３の保持容量２８と比べて小さい分、開口率を上げることができ、ＯＬＥＤ１６の長寿命化にも有利となる。また、時間制御電位ＶＧを設けない分、他の実施例より配線が少ない分、開口率をさらに高めることができる。
【００５５】
（実施例５）
図９は、実施例５における表示装置に含まれる画素の基本構成を示す。本実施例においては、画素内の一部の回路構成が実施例１〜４と異なる。以下、実施例１〜４との相違点を中心に説明する。
【００５６】
画素１２は、ＯＬＥＤ１６、駆動トランジスタ１８、駆動制御トランジスタ２０、時間制御トランジスタ２２、セットトランジスタ２４、書込トランジスタ２６、および保持容量２８を含む。時間制御トランジスタ２２がｐチャネルＭＯＳトランジスタである点で、時間制御トランジスタ２２がｎチャネルＭＯＳトランジスタである実施例１〜４と異なる。一方、駆動制御トランジスタ２０およびセットトランジスタ２４がｎチャネルＭＯＳトランジスタである点で、駆動制御トランジスタ２０およびセットトランジスタ２４がｐチャネルＭＯＳトランジスタである実施例１〜４と異なる。時間制御トランジスタ２２は、ソース電極がセットトランジスタ２４のソース電極に接続され、ドレイン電極が時間制御電位ＶＧに接続される。セットトランジスタ２４は、ドレイン電極がセット信号線ＳＴに接続され、ソース電極とゲート電極が短絡される。時間制御トランジスタ２２とセットトランジスタ２４の共通するソース電極は、駆動制御トランジスタ２０のゲート電極に接続され、そのノードを第２ノードＶ１とする。
【００５７】
選択信号線ＳＬの選択信号は、電圧が−５Ｖ〜７Ｖで変位する。セット信号線ＳＴのセット信号は、電圧が−５Ｖ〜７Ｖで変位する。駆動制御信号線ＶＤの駆動制御信号は、電圧が−７Ｖ〜０Ｖで変位する。時間制御電位ＶＧは２Ｖである。ランプ信号線ＲＰのランプ信号は、電圧が−３Ｖ〜５Ｖで変位する。電源電位ＰＶＤＤは０Ｖである。
【００５８】
図１０は、実施例５の表示装置１０に入力される各制御信号の状態変化の関係を示すタイムチャートである。本実施例においては、ランプ信号の電圧がハイからローへ変位する線形領域を有する点で実施例４と共通するが、この点を除いて他の信号は実施例１と同様に変化する。
【００５９】
１回目の発光制御においては、発光開始タイミングを示す輝度信号が第１ノードＶ０に設定され、保持容量２８に保持されるまで実施例１と同様に制御される。その後、セット信号がローになると、第３ノードＶ２がハイのまま駆動制御トランジスタ２０がオフされる。その状態で駆動制御信号がローになる。ランプ信号の電位がハイから下がり始め、第１ノードＶ０の電位が、時間制御電位ＶＧから時間制御トランジスタ２２の動作しきい値を減算した値（ＶＧ−Ｖｔ）まで下がったタイミングで時間制御トランジスタ２２がオンする。時間制御トランジスタ２２がオンすると、第２ノードＶ１の電位が上がり駆動制御トランジスタ２０もオンし、第３ノードＶ２の電位が下がるので駆動トランジスタ１８もオンし、ＯＬＥＤ１６に駆動電流が流れて発光が開始される。その後、所定のタイミングで駆動制御信号がハイになったときにＯＬＥＤ１６の発光が停止される。
【００６０】
２回目の発光制御においては、実施例１と同様に発光停止タイミングを示す輝度信号が第１ノードＶ０に入力され、駆動制御信号がローになったときにＯＬＥＤ１６が発光を開始する。セット信号がローになり、第３ノードＶ２がハイのまま駆動制御トランジスタ２０がオフされる。その状態で駆動制御信号線ＶＤがハイになる。ランプ信号の電位が下がり始め、第１ノードＶ０の電位が、時間制御電位ＶＧから時間制御トランジスタ２２の動作しきい値を減算した値（ＶＧ−Ｖｔ）になったタイミングで時間制御トランジスタ２２がオンする。時間制御トランジスタ２２がオンすると第２ノードＶ１の電位が上がり駆動制御トランジスタ２０がオンする。駆動制御トランジスタ２０がオンすると第３ノードＶ２がハイになるので駆動トランジスタ１８がオフされ、ＯＬＥＤ１６の発光が停止される。
【００６１】
以上、本実施例の構成および動作によっても、実施例１〜４と同様に１回目と２回目の発光時間の和が時間制御トランジスタ２２の特性ばらつきに関係なく一定なので、時間制御トランジスタ２２の動作しきい値による影響を相殺して輝度むらを解消することができる。
【００６２】
なお、セットトランジスタ２４の代わりに実施例２と同様のセット容量を同じ位置に設けてもよい。書込トランジスタ２６はｎチャネルＭＯＳトランジスタであってもよいし、セットトランジスタ２４はｐチャネルＭＯＳトランジスタであってもよい。実施例３と同様にランプ信号が３段階の電位で変位するよう制御し、そのようなランプ信号により保持容量２８と時間制御トランジスタ２２を介して第２ノードＶ１の電位をローにする構成としてもよい。実施例４と同様に、保持容量２８の一端をランプ信号線ＲＰではなく電源電位ＰＶＤＤに接続するとともに、ランプ信号線ＲＰを時間制御電位ＶＧの代わりに時間制御トランジスタ２２に接続する構成としてもよい。
【００６３】
（実施例６）
図１１は、実施例６における表示装置に含まれる画素の基本構成を示す。本実施例においては、画素内の一部の回路および信号線の構成が実施例１〜５と異なる。以下、実施例１〜５との相違点を中心に説明する。
【００６４】
画素１２は、ＯＬＥＤ１６、駆動トランジスタ１８、駆動制御トランジスタ２０、時間制御トランジスタ２２、書込トランジスタ２６、保持容量２８、セット容量３０、および発光制御トランジスタ３４を含む。発光制御トランジスタ３４以外の画素１２の構成および配置は、実施例２における画素１２の構成および配置と同様である。発光制御トランジスタ３４は、ｐチャネルＭＯＳトランジスタであり、ソース電極が駆動トランジスタ１８のドレイン電極に接続され、ドレイン電極がＯＬＥＤ１６の陽極に接続される。発光制御トランジスタ３４のゲート電極は、発光制御信号線ＥＥに接続される。選択信号とセット信号は実施例２と同様に、電圧が−５Ｖ〜８．５Ｖで変位する。駆動制御信号線ＶＤの駆動制御信号は、電圧が３Ｖ〜１０Ｖで変位する。ランプ信号線ＲＰのランプ信号は、電圧が０Ｖ〜４Ｖで変位する。発光制御信号線ＥＥの発光制御信号は、電圧が０Ｖ〜１０Ｖで変位する。時間制御電位ＶＧは−１Ｖである。
【００６５】
図１２は、実施例６の表示装置１０に入力される各制御信号の状態変化の関係を示すタイムチャートである。実施例１〜５における駆動制御信号線ＶＤの駆動制御信号は、非同期な短いパルスを含む波形であった。本実施例では発光制御信号線ＥＥの発光制御信号によって、ＯＬＥＤ１６の発光の停止または開始のタイミングの一部を制御することにより、駆動制御信号をより単純化する。
【００６６】
１回目の発光準備における状態変化の基本は、実施例２と同様である。具体的には、発光開始タイミングを示す輝度信号が第１ノードＶ０に入力された後、ランプ信号線ＲＰのランプ信号がローになり、時間制御トランジスタ２２がオフされる。その後、セット信号がハイになり、第２ノードＶ１の電位がハイになる。これにより、第３ノードＶ２の電位がハイのまま駆動制御トランジスタ２０がオフされる。その状態で駆動制御信号がローになる。このとき、本実施例における発光制御信号線ＥＥの発光制御信号はローとし、それにより発光制御トランジスタ３４はオンとなる。
【００６７】
実施例２と同様、ランプ信号の電位が上がり第１ノードＶ０の電位が時間制御電位ＶＧに時間制御トランジスタ２２の動作しきい値電圧Ｖｔを加算した値（ＶＧ＋Ｖｔ）になったとき、時間制御トランジスタ２２がオンし、それによって駆動制御トランジスタ２０、駆動トランジスタ１８が順次オンする。上述のとおり発光制御トランジスタ３４はオンのため、ＯＬＥＤ１６に駆動電流が流れて発光が開始される。その後は実施例２と異なり、駆動制御信号線ＶＤの駆動制御信号はローのまま、所定のタイミングで発光制御信号線ＥＥの発光制御信号がハイになり、発光制御トランジスタ３４がオフされる。これにより、ＯＬＥＤ１６への駆動電流が遮断されてＯＬＥＤ１６の発光が停止する。
【００６８】
２回目の発光準備において、発光停止タイミングを示す輝度信号が第１ノードＶ０に入力される。本実施例では駆動制御信号および第２ノードＶ１の電位がローのため、第３ノードＶ２の電位は１回目の発光以来、ローのままであり、駆動トランジスタ１８はオンしている。そこで発光制御信号線ＥＥの発光制御信号がローとなると、発光制御トランジスタ３４がオンされ、駆動電流が供給されてＯＬＥＤ１６の２回目の発光が開始される。一方、ランプ信号はローとなり、時間制御トランジスタ２２はオフされる。その後、実施例２と同様、セット信号がハイとなり、第２ノードＶ１の電位が高くなることにより、第３ノードＶ２の電位がローのまま駆動制御トランジスタ２０がオフする。その後、駆動制御信号がハイになる。
【００６９】
その後、実施例２と同様、ランプ信号が再度上昇し、第１ノードＶ０の電位がＶＧ＋Ｖｔになったとき時間制御トランジスタ２２がオンし、第２ノードＶ１の電位が下がり駆動制御トランジスタ２０がオンする。それにより第３ノードＶ２の電位が上がり駆動トランジスタ１８はオフし、ＯＬＥＤ１６の発光は停止する。
【００７０】
以上、本実施例の構成および動作によっても、実施例１〜５と同様に１回目と２回目の発光時間の和が時間制御トランジスタ２２の特性ばらつきに関係なく一定なので、時間制御トランジスタ２２の動作しきい値による影響を相殺して輝度むらを解消することができる。また、発光制御信号線ＥＥおよび発光制御トランジスタ３４によって第１回の発光停止および第２回の発光開始を制御することにより、入力波形に非同期な短いパルスを含まずに実施例１〜５と同様の作用効果を得ることができ、クロック生成に対する負担が少ない。
【００７１】
なお、発光制御トランジスタ３４をｎチャネルＭＯＳトランジスタとし、発光制御信号線ＥＥの発光制御信号を逆波形としてもよい。また実施例１と同様にセット容量３０の代わりにセットトランジスタを設けた構成としてもよい。さらに実施例３と同様にランプ信号が３段階の電位で変位するよう制御し、そのようなランプ信号により保持容量２８と時間制御トランジスタ２２を介して第２ノードＶ１の電位をローにする構成としてもよい。実施例４と同様に、保持容量２８の一端をランプ信号線ＲＰではなく電源電位ＰＶＤＤに接続するとともに、ランプ信号線ＲＰを時間制御電位ＶＧの代わりに時間制御トランジスタ２２に接続する構成としてもよい。また時間制御電位ＶＧは−１Ｖ以上１Ｖ以下の固定値でよい。
【００７２】
（実施例７）
図１３は、実施例７における表示装置に含まれる画素の基本構成を示す。本実施例においては、画素内の一部の回路および信号線の構成が実施例１〜６と異なる。以下、実施例１〜６との相違点を中心に説明する。
【００７３】
画素１２は、ＯＬＥＤ１６、駆動トランジスタ１８、駆動制御トランジスタ２０、時間制御トランジスタ２２、書込トランジスタ２６、保持容量２８、セット容量３０、第１の発光制御トランジスタ３４Ａ、および第２の発光制御トランジスタ３４Ｂを含む。第１の発光制御トランジスタ３４Ａ、第２の発光制御トランジスタ３４Ｂおよびそれらの接続線以外の画素１２の構成および配置は、実施例２における画素１２の構成および配置と同様である。第１の発光制御トランジスタ３４Ａおよび第２の発光制御トランジスタ３４Ｂは、ｐチャネルＭＯＳトランジスタである。
【００７４】
第１の発光制御トランジスタ３４Ａのソース電極（ドレイン電極）は駆動制御トランジスタ２０のソース電極（ドレイン電極）に接続され、ドレイン電極（ソース電極）は第２の発光制御トランジスタ３４Ｂのドレイン電極に接続される。第１の発光制御トランジスタ３４Ａのゲート電極は第１の発光制御信号線ＥＥ（Ａ）に接続される。第２の発光制御トランジスタ３４Ｂのソース電極は駆動トランジスタ１８と並列に、電源電位ＰＶＤＤに接続され、ゲート電極は第２の発光制御信号線ＥＥ（Ｂ）に接続される。本実施例における駆動トランジスタ１８のゲート電極は、第１の発光制御トランジスタ３４Ａのソース電極（ドレイン電極）および第２の発光制御トランジスタ３４Ｂの共通ドレイン電極に接続される。選択信号とセット信号は、実施例２と同様に、電圧が−５Ｖ〜８．５Ｖで変位する。駆動制御信号とランプ信号は実施例６と同様に、電圧が３Ｖ〜１０Ｖおよび０Ｖ〜４Ｖでそれぞれ変位する。また、第１の発光制御信号線ＥＥ（Ａ）および第２の発光制御信号線ＥＥ（Ｂ）の発光制御信号は、電圧がどちらも０Ｖ〜１０Ｖで変位する。
【００７５】
図１４は、実施例７の表示装置１０に入力される各制御信号の状態変化の関係を示すタイムチャートである。本実施例においても実施例６と同様、駆動制御信号線ＶＤの駆動制御信号に非同期な短いパルスを含めず、第１の発光制御信号線ＥＥ（Ａ）および第２の発光制御信号線ＥＥ（Ｂ）の発光制御信号により発光の停止または開始のタイミングの一部を制御し、駆動制御信号を単純化する。
【００７６】
１回目の発光準備における状態変化の基本は実施例２および実施例６と同様である。具体的には、発光開始タイミングを示す輝度信号が第１ノードＶ０に入力された後、ランプ信号線ＲＰのランプ信号がローになり、時間制御トランジスタ２２がオフされる。その後、セット信号がハイになり、第２ノードＶ１の電位がハイになる。これにより、駆動制御トランジスタ２０と第１の発光制御トランジスタ３４Ａの共通ソース電極である第３ノードＶ２がハイのまま駆動制御トランジスタ２０がオフされる。その状態で駆動制御信号がローになる。一方、本実施例では第１の発光制御信号線ＥＥ（Ａ）の発光制御信号はローとし、第２の発光制御信号線ＥＥ（Ｂ）の発光制御信号はハイとする。これにより、第１の発光制御トランジスタ３４Ａはオンとなり、第２の発光制御トランジスタ３４Ｂはオフとなる。
【００７７】
ランプ信号の電位が上がり、第１ノードＶ０の電位が、時間制御電位ＶＧに時間制御トランジスタ２２の動作しきい値電圧Ｖｔを加算した値（ＶＧ＋Ｖｔ）になったとき、時間制御トランジスタ２２がオンする。それによって駆動制御トランジスタ２０がオンし、第３ノードＶ２の電位がローとなる。上述のとおり、第１の発光制御信号線ＥＥ（Ａ）の発光制御信号がローであるため、第１の発光制御トランジスタ３４Ａはオンである。したがって第１の発光制御トランジスタ３４Ａのソース電極と第２の発光制御トランジスタ３４Ｂの共通ドレイン電極である第４ノードＶ３の電位がローとなる。これにより駆動トランジスタ１８がオンし、ＯＬＥＤ１６に駆動電流が供給され発光が開始される。
【００７８】
その後、駆動制御信号線ＶＤの駆動制御信号はローのまま、所定のタイミングで第１の発光制御信号線ＥＥ（Ａ）の発光制御信号がハイになり、第１の発光制御トランジスタ３４Ａがオフされる。それと同時に、第２の発光制御信号線ＥＥ（Ｂ）の発光制御信号がローとなり、第２の発光制御トランジスタ３４Ｂがオンされる。その結果、第４ノードＶ３の電位が電源電位ＰＶＤＤによってハイになるため、駆動トランジスタ１８がオフとなり、ＯＬＥＤ１６への駆動電流が遮断されてＯＬＥＤ１６の発光が停止する。
【００７９】
２回目の発光準備は実施例６と同様、発光停止タイミングを示す輝度信号が第１ノードＶ０に入力される。さらに実施例６と同様、駆動制御信号および第２ノードＶ１の電位がローであるため、第３ノードＶ２の電位は１回目の発光以来、ローのままである。ここで本実施例では、第２の発光制御信号線ＥＥ（Ｂ）の発光制御信号がハイとなり、第２の発光制御トランジスタ３４Ｂがオフされるとともに、第１の発光制御信号線ＥＥ（Ａ）の発光制御信号がローとなり、第１の発光制御トランジスタ３４Ａがオンされる。すると第４ノードＶ３の電位がローとなり、駆動トランジスタ１８がオンされ、ＯＬＥＤ１６の発光が開始される。
【００８０】
その後は実施例６と同様、ランプ信号がローとなることにより時間制御トランジスタ２２がオフされ、セット信号がハイとなることにより第１ノードＶ１の電位がハイとなり、駆動制御トランジスタ２０がオフする。その後、駆動制御信号がハイになる。そしてランプ信号が上昇し、第１ノードＶ０の電位がＶＧ＋Ｖｔになったとき時間制御トランジスタ２２がオンし、第２ノードＶ１の電位が下がり駆動制御トランジスタ２０がオンする。それにより第３ノードＶ２の電位が上がる。第１の発光制御トランジスタ３４Ａはオンの状態にあるため、第４ノードＶ３の電位も上がり、駆動トランジスタ１８はオフする。これによりＯＬＥＤ１６の発光は停止する。
【００８１】
以上、本実施例の構成および動作によっても、実施例１〜６と同様に１回目と２回目の発光時間の和が時間制御トランジスタ２２の特性ばらつきに関係なく一定なので、時間制御トランジスタ２２の動作しきい値による影響を相殺して輝度むらを解消することができる。また実施例６と同様に、入力波形に非同期な短いパルスを含まずに実施例１〜６と同様の作用効果を得ることができ、クロック生成に対する負担が少ない。さらに、発光制御を行うトランジスタを駆動トランジスタ１８と並列の前段に配したことにより、電源電位ＰＶＤＤとＯＬＥＤ１６の間に位置するトランジスタが駆動トランジスタ１８のみとなり、駆動トランジスタ１８に直列にトランジスタが配される場合と比較すると電力供給効率が良い。  
【００８２】
なお、第１の発光制御トランジスタ３４Ａおよび第２の発光制御トランジスタ３４ＢをｎチャネルＭＯＳトランジスタとし、第１の発光制御信号線ＥＥ（Ａ）および第２の発光制御信号線ＥＥ（Ｂ）の発光制御信号を逆波形としてもよい。また実施例１と同様にセット容量３０の代わりにセットトランジスタを設けた構成としてもよい。さらに実施例３と同様にランプ信号が３段階の電位で変位するよう制御し、そのようなランプ信号により保持容量２８と時間制御トランジスタ２２を介して第２ノードＶ１の電位をローにする構成としてもよい。実施例４と同様に、保持容量２８の一端をランプ信号線ＲＰではなく電源電位ＰＶＤＤに接続するとともに、ランプ信号線ＲＰを時間制御電位ＶＧの代わりに時間制御トランジスタ２２に接続する構成としてもよい。また時間制御電位ＶＧは−１Ｖ以上１Ｖ以下の固定値でよい。
【００８３】
以上、本発明を実施の形態をもとに説明した。この実施の形態は例示であり、その各構成要素や各処理プロセスの組合せにいろいろな変形例が可能なこと、またそうした変形例も本発明の範囲にあることは当業者に理解されるところである。以下、変形例を挙げる。
【００８４】
各実施例においてｐチャネルＭＯＳトランジスタとして設けられた各トランジスタをｎチャネルＭＯＳトランジスタで構成してもよいし、各実施例においてｎチャネルＭＯＳトランジスタとして設けられた各トランジスタをｐチャネルＭＯＳトランジスタで構成してもよい。ただし、時間制御トランジスタ２２と駆動制御トランジスタ２０はつねにｎチャネルとｐチャネルが逆の関係となる。すなわち、時間制御トランジスタ２２がｎチャネルＭＯＳトランジスタであれば駆動制御トランジスタ２０はｐチャネルＭＯＳトランジスタとなり、時間制御トランジスタ２２がｐチャネルＭＯＳトランジスタであれば駆動制御トランジスタ２０はｎチャネルＭＯＳトランジスタとなる。これは、時間制御トランジスタ２２がオンしたとき駆動制御トランジスタ２０を強くオンさせるためである。
【００８５】
各実施例においては、１回目の発光期間で発光開始タイミングを制御し、２回目の発光期間で発光停止タイミングを制御する構成を説明したが、発光開始タイミングと発光停止タイミングの順序はこれに限られない。したがって変形例においては、１回目の発光期間で発光停止タイミングを制御し、２回目の発光期間で発光開始タイミングを制御してもよい。それら複数回の発光期間は連続した順序でなくてもよい。
【００８６】
また、本実施の形態では表示装置に含まれる発光素子として有機ＥＬ素子を例に説明したが、無機ＥＬ素子などの発光素子によって表示装置を構成しても、本実施の形態で説明したのと同様の作用、効果を得ることができる。
【図面の簡単な説明】
【００８７】
【図１】実施例１における表示装置に含まれる画素の基本構成を示す図である。
【図２】実施例１の表示装置に入力される各制御信号の状態変化の関係を示すタイムチャートである。
【図３】実施例２における表示装置に含まれる画素の基本構成を示す図である。
【図４】実施例２の表示装置に入力される各制御信号の状態変化の関係を示すタイムチャートである。
【図５】実施例３における表示装置に含まれる画素の基本構成を示す図である。
【図６】実施例３の表示装置に入力される各制御信号の状態変化の関係を示すタイムチャートである。
【図７】実施例４における表示装置に含まれる画素の基本構成を示す図である。
【図８】実施例４の表示装置に入力される各制御信号の状態変化の関係を示すタイムチャートである。
【図９】実施例５における表示装置に含まれる画素の基本構成を示す図である。
【図１０】実施例５の表示装置に入力される各制御信号の状態変化の関係を示すタイムチャートである。
【図１１】実施例６における表示装置に含まれる画素の基本構成を示す図である。
【図１２】実施例６の表示装置に入力される各制御信号の状態変化の関係を示すタイムチャートである。
【図１３】実施例７における表示装置に含まれる画素の基本構成を示す図である。
【図１４】実施例７の表示装置に入力される各制御信号の状態変化の関係を示すタイムチャートである。
【符号の説明】
【００８８】
１０  表示装置、  １２  画素、  １６  ＯＬＥＤ、  １８  駆動トランジスタ、  ２０  駆動制御トランジスタ、  ２２  時間制御トランジスタ、  ２４  セットトランジスタ、  ２６  書込トランジスタ、  ２８  保持容量、  ３０  セット容量、  ３２  保持容量、  ３４  発光制御トランジスタ、  ＰＶＤＤ  電源電位、  ＳＬ  選択信号線、  ＳＴ  セット信号線、  ＶＤ  駆動制御信号線、  ＶＧ  時間制御電位、  ＲＰ  ランプ信号線、  ＤＬ  データ信号線、  ＥＥ  発光制御信号線。
【図１】
2005309396.tif 000003
【図２】
2005309396.tif 000004
【図３】
2005309396.tif 000005
【図４】
2005309396.tif 000006
【図５】
2005309396.tif 000007
【図６】
2005309396.tif 000008
【図７】
2005309396.tif 000009
【図８】
2005309396.tif 000010
【図９】
2005309396.tif 000011
【図１０】
2005309396.tif 000012
【図１１】
2005309396.tif 000013
【図１２】
2005309396.tif 000014
【図１３】
2005309396.tif 000015
【図１４】
2005309396.tif 000016